(57)【要約】【課題】再生装置による再生の信頼性の向上に好適な情報記録媒体を提供する。【解決手段】光ディスク（１００）は、再生装置が有する光学系解像限界の長さより長い長さの凹および／または凸が、所定の変調方式に従い形成されることによって種類識別情報が記録され、第１のアドレスデータフォーマットによってアドレス情報が記録されている媒体情報領域（１０１）と、光学系解像限界の長さより短い長さを含む凹および／または凸が、所定の変調方式に従い形成されることによってコンテンツデータが記録され、第２のアドレスデータフォーマットによってアドレス情報が記録されているデータ領域（１０２）と、を備える。【選択図】図１
2018032463.tif 000002
【特許請求の範囲】
【請求項１】
再生装置が有する光学系解像限界の長さより長い長さの凹および／または凸が、所定の変調方式に従い形成されることにより、情報記録媒体の種類を識別するための種類識別情報が記録されている第１領域と、
上記光学系解像限界の長さより短い長さを含む凹および／または凸が、所定の変調方式に従い形成されることにより、コンテンツデータが記録されている第２領域と、
を備えた情報記録媒体であって、
上記第１領域のアドレス情報は、第１のアドレスデータフォーマットによって記録され、
上記第２領域のアドレス情報は、上記第１のアドレスデータフォーマットとは異なる、第２のアドレスデータフォーマットによって記録されており、
上記第２領域のトラックピッチは、上記第１領域のトラックピッチより短いことを特徴とする情報記録媒体。
【請求項２】
請求項１に記載の情報記録媒体を再生する再生装置であって、
上記第１領域に記録されたアドレス情報を復号する第１アドレス情報用デコード処理手段と、
上記第２領域に記録されたアドレス情報を復号する第２アドレス情報用デコード処理手段と、を備え、
上記再生装置は、上記第１領域のトラックピッチと上記第２領域のトラックピッチとに対応する機能を有していることを特徴とする再生装置。
【発明の詳細な説明】
【技術分野】
【０００１】
本発明は、情報を記録することが可能な情報記録媒体、および当該情報記録媒体を再生可能な再生装置に関する。
【背景技術】
【０００２】
近年、高画質な映像等の大容量のデータを保存するために、大容量の情報記録媒体が求められている。このような要求を満たす高密度情報記録媒体の１つとして、光学系解像限界よりも短いピット（Ｐｉｔ）を含むピット群によりコンテンツ情報が記録され、かつ、通常より高い再生パワーによって再生される、超解像媒体が期待されている。
【０００３】
情報記録媒体には、データ領域（すなわち、コンテンツが記録された領域）に加えて、媒体情報領域（すなわち、情報記録媒体の種類を識別するための情報が記録された領域）が、情報記録媒体の互換性を確保するために、割り当てられていることが一般的である。再生装置は、媒体情報領域を再生することによって、データ領域を再生するために必要な情報を読み出す。続いて、再生装置は、データ領域を再生する。
【０００４】
超解像媒体においても、通常媒体（すなわち、非超解像媒体）と同様に、媒体情報領域とデータ領域とが、同様の記録密度によって割り当てられている。それゆえ、記録密度の大容量化による総クラスタ数の増加に対処するための様々な方法が提案されている。
【０００５】
特許文献１には、通常媒体とは異なるアドレスデータフォーマットによって、超解像媒体の媒体情報領域およびデータ領域にアドレス情報を記録する方法が開示されている。図１５の（ｂ）は、特許文献１に開示された超解像媒体のアドレスデータフォーマットを示す図である。また、図１５の（ａ）は、特許文献１に開示された通常媒体のアドレスデータフォーマットを示す図である。
【先行技術文献】
【特許文献】
【０００６】
【特許文献１】日本国公開特許公報「特開２０１０−２６２７１３号公報（２０１０年１１月１８日公開）」
【発明の概要】
【発明が解決しようとする課題】
【０００７】
しかしながら、超解像媒体と通常媒体との両方の情報記録媒体を再生可能な従来の再生装置（すなわち、再生の下位互換性を有する再生装置）によって、情報記録媒体の再生を行う場合には、以下の問題があった。
【０００８】
すなわち、特許文献１の方法のように、超解像媒体のデータ領域に加えて、媒体情報領域にも、通常媒体とは異なるアドレスデータフォーマット（すなわち、超解像媒体向けのアドレスデータフォーマット）を適用した場合、再生装置によって情報記録媒体の媒体情報領域の再生が開始される時点において、媒体の種類が不明であるため、再生対象となる情報記録媒体が、超解像媒体を再生するためのより高い再生パワーに適応しない通常媒体である場合を想定する必要がある。従って、再生装置は、通常媒体用の再生設定（すなわち、より低い再生パワー、および通常媒体用エラー訂正方法等）によって、情報記録媒体の再生を開始する必要がある。
【０００９】
図１６は、従来の再生装置が情報記録媒体を再生する処理の流れの一例を示すフローチャートである。再生装置は、通常媒体用の再生設定が選択された後（処理Ｓ１０１）、媒体情報領域の再生を試みる（処理Ｓ１０２）。そして、媒体情報領域が適切に再生されなかった場合（Ｓ１０２においてＮＯ）、再生装置は、再生対象となる情報記録媒体が超解像媒体であると判断し、超解像媒体用の再生設定を選択し（処理Ｓ１０４）、データ領域を再生する（処理Ｓ１０５）。なお、上記媒体情報領域が適切に再生された場合には（Ｓ１０２においてＹＥＳ）、再生装置は、再生対象となる情報記録媒体が通常媒体であると判断し、通常媒体用の再生設定を変更することなく、データ領域を再生する（処理Ｓ１０３）。
【００１０】
しかしながら、図１６の処理によれば、汚れ等の何らかの理由によって、媒体情報領域が適切に再生できない状態にある通常媒体が、再生装置に挿入された場合においても、再生装置は、当該通常媒体を超解像媒体であると判断する。
【００１１】
これは、従来の再生装置においては、媒体情報領域が再生できないことを、当該情報記録媒体が超解像媒体であることの判定基準としているためである。
【００１２】
従って、再生対象の情報記録媒体が通常媒体であるにも関わらず、超解像媒体用の再生設定が適用され、通常媒体の媒体情報領域に、超解像媒体を再生するためのより高い再生パワーを有する再生光が照射されるという事態が想定される。
【００１３】
しかし、通常媒体は、超解像媒体を再生するためのより高い再生パワーに対する耐久性がないため、当該再生光が照射された場合、通常媒体が破壊されてしまう可能性がある。
【００１４】
このため、情報記録媒体に汚れが付着する等の理由により、再生装置の下位互換性が損なわれ、本質的に問題がない通常媒体が、誤って破壊されてしまう恐れがあるという問題があった。
【００１５】
本発明は、上記の問題を解決するためになされたものであり、その目的は、再生装置による再生の信頼性を向上させるために好適な情報記録媒体を提供することである。
【課題を解決するための手段】
【００１６】
上記の課題を解決するために、本発明の一態様に係る情報記録媒体は、再生装置が有する光学系解像限界の長さより長い長さの凹および／または凸が、所定の変調方式に従い形成されることにより、情報記録媒体の種類を識別するための種類識別情報が記録されている第１領域と、上記光学系解像限界の長さより短い長さを含む凹および／または凸が、所定の変調方式に従い形成されることにより、コンテンツデータが記録されている第２領域と、を備えた情報記録媒体であって、上記第１領域のアドレス情報は、第１のアドレスデータフォーマットによって記録され、上記第２領域のアドレス情報は、上記第１のアドレスデータフォーマットとは異なる、第２のアドレスデータフォーマットによって記録されており、上記第２領域のトラックピッチは、上記第１領域のトラックピッチより短い。
【発明の効果】
【００１７】
本発明の一態様に係る情報記録媒体によれば、再生装置による再生の信頼性を向上させるために好適な情報記録媒体を提供することができるという効果を奏する。
【図面の簡単な説明】
【００１８】
【図１】（ａ）は、本発明の実施形態１に係る光ディスクの構成を例示する平面図であり、（ｂ）は、光ディスクの各記録層の構成を例示する断面図である。
【図２】本発明の実施形態１に係る光ディスクにおける、媒体情報領域とデータ領域との境界部を拡大した図である。
【図３】発明の実施形態１に係る光ディスクの断面を模式的に示す図である。
【図４】（ａ）は、本発明の実施形態１に係る光ディスクの媒体情報領域に用いられているアドレスユニットナンバの構造例を示す図であり、（ｂ）は、光ディスクのデータ領域に用いられているアドレスユニットナンバの構造例を示す図である。
【図５】（ａ）は、本発明の実施形態１に係る光ディスクにおけるアドレスユニット群の構造例を示す図であり、（ｂ）は、アドレスユニット群のうちの１つであるアドレスユニット「ＡＵ０」の構造例を示す図である。
【図６】本発明の実施形態１に係る光ディスクにおける、メインデータが記録されるメインデータブロック（クラスタ）の構造と、当該メインデータブロック内のアドレスユニット（アドレスフィールド）の配置例とを示す図である。
【図７】本発明の実施形態２に係る再生装置の構成を示す機能ブロック図である。
【図８】本発明の実施形態２に係るデコード処理部の詳細な構成を示す図である。
【図９】本発明の実施形態２に係る再生装置における、情報記録媒体に対する再生動作の処理の流れの一例を示すフローチャートである。
【図１０】本発明の実施形態３に係る光ディスクの構成を例示する平面図である。
【図１１】本発明の実施形態３に係る光ディスクにおける、媒体情報領域とブランク領域とデータ領域との境界部を拡大した図である。
【図１２】本発明の実施形態４に係る光ディスクの構成を例示する平面図である。
【図１３】本発明の実施形態４に係る光ディスクにおける、媒体情報領域とデータ領域との境界部を拡大した図である。
【図１４】本発明の実施形態５に係る光ディスクの構成を例示する平面図である。
【図１５】（ａ）は、特許文献１に開示された通常媒体のアドレスデータフォーマットを示す図であり、（ｂ）は、特許文献１に開示された超解像媒体のアドレスデータフォーマットを示す図である。
【図１６】従来の再生装置が情報記録媒体を再生する処理の流れの一例を示すフローチャートである。
【発明を実施するための形態】
【００１９】
〔実施形態１〕
以下、本発明の実施の形態について、図１〜図７を用いて説明する。
【００２０】
（光ディスク１００の構成）
図１を参照し、光ディスク１００（情報記録媒体）の構成について説明する。図１の（ａ）は、光ディスク１００の構成を例示する平面図であり、図１の（ｂ）は、光ディスク１００の各記録層の構成を例示する断面図である。なお、本実施形態では、光ディスク１００が、再生専用のＢＤ（Blu-ray（登録商標）Disc）である場合について説明を行う。
【００２１】
光ディスク１００は、円盤状の超解像媒体であって、（ｉ）光ディスク１００に関する情報が記録された媒体情報領域１０１（第１領域）と、（ｉｉ）映像またはソフトウェア等のコンテンツが記録されたデータ領域１０２（第２領域）と、を備えている。
【００２２】
媒体情報領域１０１およびデータ領域１０２には、所定の変調方式（例えば、１−７ＰＰ（Parity Preserve/Prohibit RMTR（Repeated Minimum Transition Run Length））変調記録方式）を用いて、ピット群により構成されるマークおよびスペースによって、光ディスク１００に関する情報およびコンテンツ（コンテンツデータ）が、それぞれ記録されている。
【００２３】
すなわち、光ディスク１００に関する情報は、媒体情報領域１０１の形状として、媒体情報領域１０１に記録されている。また、コンテンツは、データ領域１０２の形状として、データ領域１０２に記録されている。
【００２４】
例えば、ＢＤの場合では、１−７ＰＰ変調記録方式が用いられており、２Ｔから８Ｔまでのマークおよびスペースによって、光ディスク１００に関する情報およびコンテンツが、それぞれ記録されている。
【００２５】
媒体情報領域１０１は、光ディスク１００の最内周部（いわゆるリードイン領域）に設けられている。媒体情報領域１０１には、後述の光学系解像限界（０．１１９μｍ）よりも長いピットのみからなるピット群により、光ディスク１００に関する情報として、例えば媒体識別情報（種類識別情報）および記録データの管理情報等が記録されている。媒体情報領域１０１の記録密度は、通常媒体の記録密度と同一である。
【００２６】
媒体識別情報は、情報記録媒体の種類を識別するための情報である。媒体識別情報には、光ディスク１００の種類（ＢＤ、ＤＶＤ、再生専用型、追記型、および書換型等）、記録容量等のディスクタイプ識別情報、および、光ディスク１００の個々を識別するための個体識別情報等が含まれている。また、管理情報は、情報記録媒体において、情報が記録されているアドレス、および、複数の情報の相関関係等を示す情報である。
【００２７】
データ領域１０２は、光ディスク１００において、媒体情報領域１０１よりも外周側に設けられている。データ領域１０２には、１−７ＰＰ変調記録方式を用いて、光学系解像限界よりも短いピットを含むピット群により、コンテンツ（すなわち、ユーザが使用する情報）が記録されている。すなわち、データ領域１０２の記録密度は、媒体情報領域１０１の記録密度よりも高い。
【００２８】
なお、光ディスク１００に対応する再生装置の再生光波長をλ、開口数をＮＡ（Numerical Aperture）とした場合に、当該再生装置の光学系解像限界は、λ／（４×ＮＡ）として表される。光ディスク１００において、λ＝４０５（ｎｍ）、ＮＡ＝０．８５であり、光学系解像限界は、λ／（４×ＮＡ）＝０．１１９（μｍ）として表される。
【００２９】
図２は、光ディスク１００の媒体情報領域１０１とデータ領域１０２との境界部を拡大した図である。光ディスク１００において、各種情報は、１−７ＰＰ変調記録方式を用いて記録されており、媒体情報領域１０１の最小ピット長である２Ｔピット長（すなわち、Ｒ２Ｔ）は、０．１４９μｍであり、また、データ領域１０２の最小ピット長である２Ｔピット長（すなわち、Ｄ２Ｔ）は、０．１１２μｍである。
【００３０】
なお、ピット長とは、凹および／または凸からなるピットの長さを意味し、一般的には、光ディスク１００の円周方向の長さを意味する。
【００３１】
また、媒体情報領域１０１においてピット群が形成するトラックのトラックピッチ、およびデータ領域１０２においてピット群が形成するトラックのトラックピッチは、互いに同じである（例えば、０．３５μｍ）。なお、トラックピッチとは、光ディスク１００上の、２つの隣接するトラック間の、半径方向の距離のことである。
【００３２】
図３は、光ディスク１００の断面を模式的に示す図である。光ディスク１００には、再生装置から出力された再生光が入射される側から、カバー層１９１、機能層１９２、および基板１９３が、それぞれ設けられている。
【００３３】
カバー層１９１は、例えば、厚さ１００μｍの紫外線硬化樹脂によって形成されている。カバー層１９１が、上述の紫外線硬化樹脂によって形成されている場合、カバー層１９１は、波長λ＝４０５ｎｍの再生光において、１．５程度の屈折率を有する。
【００３４】
なお、カバー層１９１の材料は、再生光の波長λにおいて透過率の高いものであればよい。従って、カバー層１９１は、例えば、ポリカーボネート（ＰＣ）フィルムと透明粘着剤とによって、形成されてもよく、特に限定されるものではない。
【００３５】
基板１９３は、例えば、直径１２０ｍｍ、厚さ１．１ｍｍのポリカーボネートによって形成されている。基板１９３には、再生光が入射する側の表面に設けられた凹および／または凸からなるピットによって、情報が記録されている。
【００３６】
なお、基板１９３の材料は、再生光が入射する側の表面に、凹および／または凸からなるピットによって、情報が記録できるものであればよい。従って、基板１９３は、例えば、ポリカーボネート樹脂およびアクリル樹脂（ＰＭＭＡ）、ポリエステル、脂環式炭化水素樹脂、エポキシ・アセタール合成樹脂、またはガラスによって、形成されてもよく、基板に求められる強度や平坦度が規格を満たすことができる材料であれば、特に限定されるものではない。
【００３７】
機能層１９２は、例えば、厚さ１２ｎｍのＴａによって形成されている。機能層１９２は、基板１９３の表面に設けられたプリピット群により記録された情報を、再生光学系によって再生可能とする膜である。なお、プリピット群とは、基板１９３に設けられた複数の凹凸形状を意味する。
【００３８】
すなわち、機能層１９２は、プリピット群のうち、最も小さいマークとスペースとの平均長さが、光学系解像限界以下に形成されていても、再生光学系において、再生（すなわち、超解像再生）が可能となる超解像膜であればよい。機能層１９２は、例えば、スパッタリングによって形成されてよい。
【００３９】
機能層１９２は、Ｓｉ、Ｇｅ、ＧｅＳｂＴｅ、ＡｇＩｎＳｂＴｅ、Ａｌ、Ａｇ、Ａｕ、Ｐｔ、または、これらを含む混合物（例えば、ＡＰＣ）等によって形成されてもよい。
【００４０】
さらに、機能層１９２は、２種類以上の膜が積層されることによって形成されてもよい。機能層１９２は、例えば、（ｉ）厚さ約８ｎｍのＴａ、Ａｌ、Ａｇ、Ａｕ、Ｐｔ、または、これらを含む混合物等からなる吸光膜と、（ｉｉ）ＺｎＯ、ＣｅＯ２、ＴｉＯ２等の超解像再生膜と、によって形成されてもよい。この場合、機能層１９２は、記録密度がより高くなっても、情報の再生が可能となる。
【００４１】
また、機能層１９２は、２層以上の層であってもよい。機能層１９２が２層以上の層である場合には、機能層１９２を構成する各々の機能層の間に、中間層が設けられていればよい。
【００４２】
中間層は、例えば、紫外線硬化樹脂によって形成されてよい。中間層の材料は、（ｉ）再生光の波長λにおいて、透過率が高く、かつ、（ｉｉ）再生光が入射する側の面に、凹および／または凸からなるピットによって情報およびコンテンツが記録できるものであればよい。
【００４３】
なお、機能層１９２が２層以上の層である場合には、機能層１９２を構成する各々の機能層のうちの少なくとも１つの層の内周に、媒体情報領域１０１が割り当てられればよい。これにより、データ領域１０２の領域を多く確保することができ、光ディスク１００の大容量化が可能となる。
【００４４】
また、媒体情報領域１０１は、光ディスク１００の最内周部に必ずしも設けられる必要はなく、光ディスク１００の外周部（いわゆるリードアウト領域）に設けられていてもよい。
【００４５】
（アドレスデータの構成）
本実施形態では、媒体情報領域１０１およびデータ領域１０２には、それぞれ、基板１９３上にエンボスピット（すなわち、凹および／または凸）が形成されることにより、アドレス情報（アドレスデータ）が記録されている。すなわち、アドレス情報は、上述した変調方式を用いてピット群により構成されるマークおよびスペースによって、媒体情報領域１０１およびデータ領域１０２のそれぞれに記録されている。
【００４６】
以下に、このアドレス情報が格納される、媒体情報領域１０１およびデータ領域１０２のそれぞれのアドレスユニットナンバ（ＡＵＮ）の構造（ＡＵＮ構造）、および、そのアドレスユニットナンバを含むアドレスユニット（ＡＵ）の構造の一例について、図４〜図６に基づき説明する。
【００４７】
まず、図４に基づき、アドレスユニットナンバ（ＡＵＮ）の構造例について説明する。図４は、アドレスユニットナンバの構造例を示す図であり、（ａ）は、光ディスク１００の媒体情報領域１０１に用いられているアドレスユニットナンバ１１１の構造例を示す図であり、（ｂ）は、光ディスク１００のデータ領域１０２に用いられているアドレスユニットナンバ１２１の構造例を示す図である。なお、アドレスユニットナンバのうち、「ＡＵＮ０」が最下位シンボル、「ＡＵＮ３」が最上位シンボルである。
【００４８】
また、アドレスユニットナンバと同様に、後述の図５の（ｂ）に示されたパリティのうち、「Ｐａｒｉｔｙ０」が最下位シンボル、「Ｐａｒｉｔｙ３」が最上位シンボルである。
【００４９】
図４の（ａ）に示すように、媒体情報領域１０１に対しては、４シンボル（１シンボル＝８ビット）のアドレスユニットナンバ１１１として「ＡＵＮ０」〜「ＡＵＮ３」が形成されている。すなわち、「ＡＵＮ０」〜「ＡＵＮ３」のそれぞれが１シンボル（８ビット）によって構成されている。そして、この４シンボルが、ビットＡ０〜Ａ３１によって示されている。アドレスユニットナンバ１１１を構成するビットＡ０〜Ａ３１の役割は、以下の通りである。
・ビットＡ０〜Ａ４の５ビットは、クラスタ内ナンバである。クラスタは、データの記録単位であり、記録可能タイプのディスクの場合、１つのＲＵＢ（recording unit block：記録再生クラスタ）を構成する単位である。
・ビットＡ５〜Ａ２３の１９ビットは、クラスタアドレスである。
・ビットＡ２４〜Ａ２６の３ビットは、レイヤーナンバ（記録層のナンバ）である。
・ビットＡ２７〜Ａ３１の５ビットは、リザーブである。
【００５０】
この媒体情報領域１０１に採用されているアドレスユニットナンバ１１１は、通常媒体（すなわち、非超解像媒体）において採用されているものと同一である。
【００５１】
一方、図４の（ｂ）に示すように、データ領域１０２のアドレスユニットナンバ１２１もまた、それぞれ４シンボルからなり、ビットＡ０〜Ａ３１を含む「ＡＵＮ０」〜「ＡＵＮ３」が形成されている。アドレスユニットナンバ１２１を構成するビットＡ０〜Ａ３１の役割は、以下の通りである。
・ビットＡ０〜Ａ３の４ビットは、リザーブである。
・ビットＡ４〜Ａ８の５ビットは、クラスタ内ナンバである。
・ビットＡ９〜Ａ２８の２０ビットは、クラスタアドレスである。
・ビットＡ２９〜Ａ３１の３ビットは、レイヤーナンバである。
【００５２】
また、データ領域１０２の記録密度は通常媒体と比べ高密度であるため、媒体情報領域１０１に用いられているアドレスユニットナンバ１１１のクラスタアドレス（すなわち、ビットＡ５〜Ａ２３の１９ビット）は、データ領域１０２に用いられているアドレスユニットナンバ１２１のクラスタアドレス（すなわち、ビットＡ９〜Ａ２８の２０ビット）を表現するために不十分なクラスタアドレスであると言える。
【００５３】
そのため、データ領域１０２では、図４の（ｂ）に示すように、アドレスユニットナンバ１２１のクラスタアドレスを、ビットＡ９〜Ａ２８の２０ビットとして、媒体情報領域１０１におけるアドレスユニットナンバ１１１のクラスタアドレスよりも１ビット増加させている。これにより、データ領域１０２におけるクラスタアドレスの不足を解決している。
【００５４】
なお、アドレスユニットナンバ１２１の構造は、上記の構造に限らず、アドレスユニットナンバ１１１のクラスタアドレスよりも、ビット数が増加する構造であればよい。
【００５５】
このように、媒体情報領域１０１において用いられているアドレスユニットナンバ１１１のデータ構造（第１のアドレスデータフォーマット（アドレス方式））は、再生装置が有する光学系解像限界の長さよりも長い長さの凹および／または凸からなる情報記録媒体（通常媒体）において用いられているアドレスユニットナンバと同一のデータ構造となっている。
【００５６】
一方、データ領域１０２において用いられているアドレスユニットナンバ１２１のデータ構造（第２のアドレスデータフォーマット）は、媒体情報領域１０１において用いられているアドレスユニットナンバ１１１のデータ構造とは異なり、通常媒体よりも高密度化されたデータ記録を可能とするデータ構造となっている。
【００５７】
すなわち、媒体情報領域１０１においては、アドレス情報は、通常媒体と同一の第１のアドレスデータフォーマットを用いて記録されている。一方、データ領域１０２においては、アドレス情報は、第１のアドレスデータフォーマットとは異なる、通常媒体よりも高密度化されたデータ記録を可能とする第２のアドレスデータフォーマット（例えば、通常媒体よりもクラスタアドレスのビット数（アドレス数）を増加させたデータ構造）を用いて記録されている。
【００５８】
換言すれば、アドレスユニットナンバ１１１とアドレスユニットナンバ１２１とに格納される情報は、それぞれのアドレスデータフォーマットによって記録されているので、その構造が異なっている。
【００５９】
ここで、アドレスユニットナンバ１１１および１２１のそれぞれに対するエラー訂正符号化（ＥＣＣ（Error Correction Code，エラー訂正コード）エンコード）処理は、図５に示すアドレスユニット単位に対して行われる。図５の（ａ）は、アドレスユニット群の構造例を示す図であり、図５の（ｂ）は、アドレスユニット群のうちの１つであるアドレスユニット「ＡＵ０」の構造例を示す図である。なお、メインデータに対するＥＣＣエンコードの方法としては、ＬＤＣ（Long Distance Code）とＢＩＳ（Burst Indicator Subcode）との２つの方法のいずれかを用いることができる。
【００６０】
図５の（ａ）では、アドレスユニット群の構造例として、アドレスユニット「ＡＵ０」〜「ＡＵ１５」の１６アドレスユニットが設けられている場合を示している。この場合、各アドレスユニット「ＡＵ０」〜「ＡＵ１５」の構成は、以下の通りである。
・アドレスユニット「ＡＵ０」は、アドレスフィールド「ＡＦ０，０」〜「ＡＦ８，０」の９バイトによって構成されている。すなわち、１つのアドレスフィールドは、１バイト（１シンボル）からなる。
・アドレスユニット「ＡＵ１」は、アドレスフィールド「ＡＦ０，１」〜「ＡＦ８，１」の９バイトによって構成されている。
・同様にして、アドレスユニット「ＡＵ２」〜「ＡＵ１５」がそれぞれ９バイトで構成されている。すなわち、Ｎ番目の「ＡＵ（Ｎ）」は、「ＡＦ０，Ｎ」〜「ＡＦ８，Ｎ」の９バイトによって構成されている。
【００６１】
この９バイトのアドレスユニット単位に対して（アドレスユニット「ＡＵ０」〜「ＡＵ１５」のそれぞれごとに）、ＥＣＣエンコードが行われる。媒体情報領域１０１に用いられるアドレスユニットは、アドレスユニットナンバ１１１と、フラグビットと、パリティとを含む。同様に、データ領域１０２に用いられるアドレスユニットは、アドレスユニットナンバ１２１と、フラグビットと、パリティとを含む。
【００６２】
すなわち、アドレスユニットとは、（ｉ）光ディスク１００に対して記録されるデータ（記録データ）、または光ディスク１００から読み出されるデータ（再生データ）のアドレスを示すアドレス情報と、（ｉｉ）光ディスク１００に対応する再生装置において、当該アドレス情報に対して所定の符号化および復号化を行い、誤り訂正を行うことを可能とする特定データと、を少なくとも含むように形成されたデータ群である。
【００６３】
また、アドレスユニットナンバは、上述のアドレス情報である。すなわち、アドレスユニットナンバは、記録データまたは再生データに対して割り当てられたアドレスを示すデータである。パリティは、上述の特定データである。すなわち、パリティは、アドレスユニットの誤り訂正を行うことを可能とするデータである。フラグビットは、記録データの記録の状態を示すデータである。すなわち、フラグビットには、記録データの記録の状態を示す情報などが記録される。なお、フラグビットは、再生専用タイプのディスクでは、予備領域としてもよい。
【００６４】
図５の（ｂ）は、アドレスユニット「ＡＵ０」を示すものである。
【００６５】
アドレスユニット「ＡＵ０」のアドレスフィールド「ＡＦ０，０」、「ＡＦ１，０」、「ＡＦ２，０」、「ＡＦ３，０」には、アドレスユニットナンバ「ＡＵＮ３」，「ＡＵＮ２」，「ＡＵＮ１」，「ＡＵＮ０」が、それぞれ割り当てられている。
【００６６】
アドレスフィールド「ＡＦ４，０」には、フラグビットが割り当てられている。
【００６７】
アドレスフィールド「ＡＦ５，０」〜「ＡＦ８，０」には、パリティ（Ｐａｒｉｔｙ３〜Ｐａｒｉｔｙ０）が割り当てられている。
【００６８】
アドレスユニット「ＡＵ１」〜「ＡＵ１５」もまた、アドレスユニット「ＡＵ０」と同様の構造を有している。すなわち、Ｎ番目のアドレスユニット「ＡＵ（Ｎ）」において、・アドレスフィールド「ＡＦ０，Ｎ」〜「ＡＦ３，Ｎ」には、アドレスユニット「ＡＵ（Ｎ）」のアドレスユニットナンバ「ＡＵＮ３」〜「ＡＵＮ０」のそれぞれ、
・アドレスフィールド「ＡＦ４，Ｎ」にはフラグビット、
・アドレスフィールド「ＡＦ５，Ｎ」〜「ＡＦ８，Ｎ」にはパリティ（Ｐａｒｉｔｙ３〜Ｐａｒｉｔｙ０）、
がそれぞれ割り当てられている。
【００６９】
このようなアドレスユニット単位のＥＣＣエンコードによるエラー訂正は、９シンボル内に４シンボルのパリティを備えることによって、２シンボル以内の誤りを訂正することができる。
【００７０】
すなわち、アドレスユニットとして形成されるエラー訂正符号化データは、ＲＳ（９，５，５）、符号長９、データ５、ディスタンス５のＲＳ（Reed-Solomon，リードソロモン）コードである。
【００７１】
換言すれば、光ディスク１００の媒体情報領域１０１は、（９，５，５）ＲＳコードにエラー訂正符号化処理された、アドレスユニットナンバ１１１を含むアドレスユニットを有している。また、光ディスク１００のデータ領域１０２は、（９，５，５）ＲＳコードにエラー訂正符号化処理された、アドレスユニットナンバ１２１を含むアドレスユニットを有している。
【００７２】
図６に、メインデータが記録されるメインデータブロック（クラスタ）の構造と、当該メインデータブロック内のアドレスユニット（アドレスフィールド）の配置例とを示す。なお、各記録層に形成されたトラック上に、相変化マーク、色素変化マークまたはエンボスピット列により記録される情報を「メインデータ（ユーザデータ）」と称する。
【００７３】
図６に示すように、１つのメインデータブロックは、４９６個のフレームから構成されている。すなわち、１つのクラスタは、４９６個のフレームから構成されている。そして、その１フレームは、データ（３８バイト）、ＢＩＳ（１バイト）、データ（３８バイト）、ＢＩＳ（１バイト）、データ（３８バイト）、ＢＩＳ（１バイト）、データ（３８バイト）が配されて１５５バイトの構造となっている。
【００７４】
すなわち、１フレームは、１５２バイト（＝３８バイト×４）のデータと、３８バイトごとに挿入された１バイトのＢＩＳ（＝１バイト×３）とから構成されている。この４９６フレームのメインデータブロックにおいて、３１フレーム単位でアドレスユニット「ＡＵ０（Address Unit0）」〜「ＡＵ１５（Address Unit15）」が配置されている。
【００７５】
具体的には、各３１フレームにおいて、ＢＩＳを構成する先頭の３フレームにそれぞれ３つのアドレスフィールドが配置されることにより、９バイト（９シンボル）からなるアドレスユニット「ＡＵ０」〜「ＡＵ１５」のそれぞれが、メインデータブロック内に配置されている。すなわち、図６に示すように、以下のように配置されている。
・アドレスユニット「ＡＵ０」を構成する、それぞれ１バイトからなるアドレスフィールド「ＡＦ０，０」〜「ＡＦ８，０」（全部で９バイト）は、メインデータブロックの先頭の３１フレームのうちの、ＢＩＳを構成する先頭の３フレームに配置されている。
・アドレスユニット「ＡＵ１」を構成するアドレスフィールド「ＡＦ０，１」〜「ＡＦ８，１」は、２番目の３１フレームのうちの、ＢＩＳを構成する先頭の３フレームに配置されている。
・同様にして、アドレスユニット「ＡＵ２」〜「ＡＵ１５」が、それぞれ３番目〜１６番目の各３１フレーム内に配置されている。
【００７６】
このように、媒体情報領域１０１のメインデータブロック内のＢＩＳには、アドレスユニットナンバ１１１を含むアドレスユニットが割り当てられている。また、データ領域１０２のメインデータブロック内のＢＩＳには、アドレスユニットナンバ１２１を含むアドレスユニットが割り当てられている。すなわち、ＢＩＳにはアドレス情報が含まれている。また、換言すれば、ＢＩＳは、アドレス情報の符号化に寄与するものといえる。
【００７７】
（光ディスク１００の効果）
光ディスク１００において、媒体情報領域１０１のピット群には、再生装置が有する光学系解像限界の長さ（すなわち、０．１１９μｍ）よりも長い長さの凹および／または凸が、所定の変調方式に従い形成されている。また、データ領域１０２のピット群には、光学系解像限界の長さよりも短い長さを含む凹および/または凸が、所定の変調方式に従い形成されている。
【００７８】
そして、アドレス情報は、第１のアドレスデータフォーマット（すなわち、通常媒体と同様のアドレスデータフォーマット）によって媒体情報領域１０１に記録され、かつ、第２のアドレスデータフォーマットによってデータ領域１０２に記録されている。
【００７９】
従って、媒体情報領域１０１に、通常媒体用の再生パワーを有する再生光が照射されることにより、媒体情報領域１０１に記録されているアドレス情報、および光ディスク１００に関する情報（特に、媒体識別情報）を読み出すことができる。
【００８０】
それゆえ、再生装置において、媒体情報領域１０１が再生されたことを、再生対象である光ディスク１００が超解像媒体であることの判定基準とすることができる。特に、後述の実施形態２の再生装置１によって光ディスク１００が再生される場合には、光ディスク１００のデータ領域１０２以外に、超解像用の再生パワーを有する再生光が照射されることがない。
【００８１】
すなわち、通常媒体および光ディスク１００の媒体情報領域１０１に、超解像用の再生パワーを有する再生が照射されることがない。なお、データ領域１０２については、上述した第２のアドレスデータフォーマットによってアドレス情報が記録されているので、超解像媒体用の再生パワーを有する再生光によって、当該アドレス情報、およびコンテンツを読み出すことができる。
【００８２】
従って、超解像媒体として光ディスク１００が用いられることによって、実施形態２の再生装置１において、通常媒体が超解像媒体と誤って判定されることを防止することができる。それゆえ、通常媒体に対して、超解像媒体を再生するためのより高い再生パワーを有する再生光が照射され、通常媒体が破壊されるという事態が生じることを抑制することができる。
【００８３】
すなわち、光ディスク１００を、実施形態２の再生装置１の再生対象とすることにより、情報記録媒体の再生の信頼性が向上するという効果を奏する。換言すれば、実施形態２再生装置１の再生対象として好適な超解像媒体として、光ディスク１００を提供することができる。
【００８４】
また、光ディスク１００では、データ領域１０２のアドレスデータフォーマットを、高密度情報記録媒体用のもの（すなわち、第２のアドレスデータフォーマット）に変更しているため、アドレスが不足することなく、記録容量をさらに増大させることができるという効果をも奏する。
【００８５】
〔実施形態２〕
本発明の他の実施形態について、図７〜図９に基づいて説明すれば、以下の通りである。なお、説明の便宜上、前記実施形態にて説明した部材と同じ機能を有する部材については、同じ符号を付記し、その説明を省略する。
【００８６】
（再生装置１の構成）
図７を参照し、実施形態１の光ディスク１００を再生する再生装置１の構成について説明する。図７は、再生装置１の構成を示す機能ブロック図である。
【００８７】
再生装置１は、超解像媒体と通常媒体との両方の情報記録媒体を再生可能な再生装置である。すなわち、再生装置１は、超解像媒体を再生するための再生設定（すなわち、より高いパワーを有する再生光の設定等）に加えて、通常媒体を再生するための再生設定（すなわち、より低いパワーを有する再生光の設定等）をも適用することができる。以降、このような再生装置を、再生の下位互換性を有する再生装置と称する。
【００８８】
なお、本実施形態では、再生装置１に光ディスク１００（すなわち、超解像媒体）が装填されている場合について説明を行っているが、再生装置１に、通常媒体が装填されてもよい。
【００８９】
再生装置１は、スピンドルモータ２、光ピックアップ３、ピックアップ用モータ４、検出回路５、リード回路６、デコード処理部７、ＥＣＣデコード部８、制御部９、サーボ回路１０、レーザ制御回路１１、スピンドル回路１２、およびセンサ１３を備えている。また、再生装置１は、外部に設けられたＡＶ（Audio Visual）システム２０と接続されている。
【００９０】
センサ１３は、再生装置１のターンテーブル（不図示）に、光ディスク１００がチャッキングされたことを検知することにより、光ディスク１００が再生装置１に装填されたことを検知する。そして、センサ１３は、光ディスク１００が再生装置１に装填されたことを示す情報を、制御部９へ与える。
【００９１】
制御部９は、センサ１３からの情報を取得した後に、スピンドル回路１２に指令を与え、スピンドルモータ２を回転させる。そして、制御部９は、ピックアップ用モータ４に指令を与え、光ピックアップ３を所定の位置に移動させる。ピックアップ用モータ４は、光ピックアップ３を所定の読み出し位置に移動させる駆動機構である。また、制御部９は、再生装置１が備える各部の動作を統括的に制御する機能を有する。
【００９２】
光ピックアップ３は、回転中の光ディスク１００に対して、その半径方向に移動しながら、再生光としてのレーザ光を照射する。光ピックアップ３から照射されるレーザ光は、レーザ制御回路１１からのドライブ信号（ドライブ電流）によって、発光駆動される。なお、レーザ制御回路１１の動作は、制御部９によって制御されている。
【００９３】
再生装置１は、レーザ光が光ディスク１００から反射されることによって生じた反射光を用いて、光ディスク１００を再生する。光ピックアップ３は、光ディスク１００を再生するために、不図示のレーザダイオード、対物レンズ、およびフォトディテクタを備えている。
【００９４】
レーザダイオードは、レーザ光を出力する。レーザ光は、対物レンズを介して、光ディスク１００に照射される。そして、光ディスク１００からの反射光は、フォトディテクタによって検出される。
【００９５】
レーザダイオードから出力されるレーザ光は、例えば、波長λ＝４０５ｎｍのレーザ光である。また、対物レンズの開口数は、例えば、ＮＡ＝０．８５である。なお、当該波長及び開口数はこれに限られず、光ディスク１００の種類または種別によって規定された、波長および開口数であればよい。
【００９６】
光ピックアップ３のフォトディテクタによって検出された反射光は、再生信号として、検出回路５に与えられる。検出回路５は、再生信号（すなわち、ＲＦ（Radio Frequency）信号）に加えて、フォーカスエラー信号およびトラッキングエラー信号を生成する。
【００９７】
検出回路５は、フォーカスエラー信号およびトラッキングエラー信号を、サーボ回路１０に与える。サーボ回路１０は、フォーカスエラー信号およびトラッキングエラー信号に基づき、光ディスク１００のデータトラックにレーザ光が追従するように、光ピックアップ３のアクチュエータ（不図示）の動作を制御する。
【００９８】
また、検出回路５は、再生信号を、リード回路６に与える。リード回路６は、ＰＬＬ（Phase Locked Loop；不図示）によって、再生信号から再生クロックを生成する。また、リード回路６は、ＲＬＬ（Run Length Limited）（１，７）変調に対する復調処理を行い、再生信号を復調する。
【００９９】
リード回路６は、再生クロック信号と、再生信号の復調結果とを、デコード処理部７に与える。デコード処理部７は、再生信号の復調結果を用いて、アドレスの復号化を行う。
【０１００】
図８は、デコード処理部７の詳細な構成を示す図である。デコード処理部７は、第１デコード処理回路７１ａ（第１アドレス情報用デコード処理手段）、第２デコード処理回路７１ｂ（第２アドレス情報用デコード処理手段）、および切替器７２を備えている。
【０１０１】
第１デコード処理回路７１ａおよび第２デコード処理回路７１ｂは、リード回路６と接続されている。また、切替器７２は、入力側において第１デコード処理回路７１ａおよび第２デコード処理回路７１ｂと接続されており、出力側においてＥＣＣデコード部８と接続されている。
【０１０２】
第１デコード処理回路７１ａは、第１のアドレスデータフォーマットによって記録されたアドレス情報をデコード（復号化）する機能を有する。また、第２デコード処理回路７１ｂは、第２のアドレスデータフォーマットによって記録されたアドレス情報をデコードする機能を有する。
【０１０３】
従って、第１デコード処理回路７１ａは、媒体情報領域１０１のアドレス情報をデコードすることができるとともに、通常媒体の媒体情報領域のアドレス情報、およびデータ領域のアドレス情報をデコードすることができる。また、第２デコード処理回路７１ｂは、データ領域１０２のアドレス情報をデコードすることができる。また、切替器７２は、ＥＣＣデコード部８への出力を選択する機能を有している。
【０１０４】
リード回路６は、再生クロック信号と、再生信号の復調結果とを、デコード処理部７が備える第１デコード処理回路７１ａおよび第２デコード処理回路７１ｂに与える。そして、第１デコード処理回路７１ａおよび第２デコード処理回路７１ｂにおいて、アドレス情報のデコードがそれぞれ行われる。
【０１０５】
第１デコード処理回路７１ａおよび第２デコード処理回路７１ｂにおけるデコードの結果として得られた、それぞれのアドレス情報は、再生装置１の再生対象である光ディスク１００のそれぞれの領域（すなわち、媒体情報領域１０１およびデータ領域１０２）に応じて、切替器７２によって選択された後に、ＥＣＣデコード部８へ与えられる。
【０１０６】
すなわち、（ｉ）第１デコード処理回路７１ａが処理を行っている場合には、第１デコード処理回路７１ａとＥＣＣデコード部８とが接続され、（ｉｉ）第２デコード処理回路７１ｂが処理を行っている場合には、第２デコード処理回路７１ｂとＥＣＣデコード部８とが接続されるように、切替器７２のスイッチが切り替えられる。なお、切替器７２のスイッチの切り替えは、デコード処理部７に設けられた不図示のドライバによって行われる。
【０１０７】
ＥＣＣデコード部８は、エラー訂正処理として、ＥＣＣデコードを行う。すなわち、ＥＣＣデコード部８は、デコード処理部７から与えられたアドレス情報にＥＣＣデコードを施し、再生信号を生成する。そして、ＥＣＣデコード部８は、再生信号を制御部９に与える。
【０１０８】
上述のように、媒体情報領域１０１のアドレスデータフォーマット（第１のアドレスデータフォーマット）は、図４の（ａ）に示されたアドレスユニットナンバ１１１の構造（ＡＵＮ構造）である。また、データ領域１０２のアドレスデータフォーマット（第２のアドレスデータフォーマット）は、図４の（ｂ）に示されたアドレスユニットナンバ１２１の構造（ＡＵＮ構造）である。
【０１０９】
従って、ＥＣＣデコード部８は、各アドレスデータフォーマットに対応したデコード処理を行う。それゆえ、各アドレスデータフォーマットに対応しないデコード処理が、ＥＣＣデコード部８において行われた場合、各アドレス情報は、正しくデコードされない。すなわち、各アドレス情報は、デコード不能となる。
【０１１０】
再生信号に含まれるデータは、デコード処理部７およびＥＣＣデコード部８においてデコードされ、制御部９を介して、ＡＶシステム２０に出力される。
【０１１１】
なお、図７においては、再生装置１が、ＡＶシステム２０に接続されている構成が例示されているが、再生装置１に接続される対象は、ＡＶシステム２０に限定されない。例えば、再生装置１は、パーソナルコンピュータ等と接続されてもよい。
【０１１２】
また、再生装置１は、他の機器に接続されない構成であってもよい。この場合には、再生装置１に操作部および表示部等が設けられ、データ入出力のインターフェース部の構成は、図７に示された構成とは異なる。つまり、再生装置１では、ユーザの操作に応じて記録または再生が行われるとともに、各種データの入出力のための端子部が形成される。
【０１１３】
スピンドル回路１２は、制御部９を介して、リード回路６において生成された再生クロック信号を取得する。スピンドル回路１２は、再生クロック信号を、光ディスク１００の所定の回転基準速度と比較することによって、スピンドルエラー信号、および、スピンドルエラー信号に対応するスピンドルドライブ信号を生成する。
【０１１４】
そして、スピンドル回路１２は、スピンドルドライブ信号を、スピンドルモータ２に与えることによって、光ディスク１００を回転駆動させるように、スピンドルモータ２の動作を制御する。
【０１１５】
スピンドルモータ２は、光ディスク１００を、一定線速度（Constant Linear Velocity，ＣＬＶ）に回転駆動してもよいし、または、一定角速度（Constant Angular Velocity，ＣＡＶ）に回転駆動してもよい。
【０１１６】
（再生装置１における再生動作の処理の流れ）
図９は、再生装置１における、情報記録媒体（例えば、光ディスク１００）に対する再生動作の処理の流れの一例を示すフローチャートである。ここでは、情報記録媒体が光ディスク１００である場合について説明を行う。
【０１１７】
はじめに、センサ１３は、光ディスク１００が再生装置１のターンテーブル（不図示）に、情報記録媒体がチャッキングされたことを検知することにより、光ディスク１００が再生装置１に装填されたことを検知する。
【０１１８】
制御部９は、センサ１３から、光ディスク１００が再生装置１に装填されたことを示す情報を取得した後に、スピンドル回路１２に指令を与え、スピンドルモータ２を回転させる。また、制御部９は、ピックアップ用モータ４に指令を与え、光ピックアップ３を所定の読み出し位置に移動させる。
【０１１９】
さらに、制御部９は、レーザ制御回路１１に指令を与えることにより、レーザ制御回路１１から、ドライブ信号（ドライブ電流）を、光ピックアップ３に与える。光ピックアップ３は、ドライブ信号に基づき、通常媒体用の再生レーザパワー（例えば、０．３５ｍＷの低パワー）によって、光ディスク１００の媒体情報領域１０１に再生光としてのレーザ光を照射する。すなわち、光ディスク１００の媒体情報領域１０１を再生するための再生設定として、通常媒体用の再生設定が設定される。
【０１２０】
光ピックアップ３は、媒体情報領域１０１からの反射光を受光し、再生信号（ＲＦ信号）を生成する。再生信号は、光ピックアップ３から、検出回路５およびリード回路６を介して、デコード処理部７およびＥＣＣデコード部８に与えられる。デコード処理部７およびＥＣＣデコード部８において、媒体情報領域１０１のアドレス情報を取得するための動作は、図９の処理Ｓ１およびＳ２によって示されている。
【０１２１】
リード回路６は、ＰＬＬによって、再生信号から再生クロックを生成し、また、ＲＬＬ（１，７）変調に対する復調処理を行い、再生信号を復調する。リード回路６は、再生クロック信号と、再生信号の復調結果とを、デコード処理部７に与える。
【０１２２】
以上が、図９に示された処理Ｓ１に先立つ再生装置１の動作である。以下、図９を参照し、処理Ｓ１〜Ｓ１３について説明を行う。
【０１２３】
デコード処理部７は、第１デコード処理回路７１ａ（すなわち、媒体情報領域１０１のアドレス情報をデコードするデコード処理回路）において、媒体情報領域１０１から読み出されたアドレス情報を復号化する（処理Ｓ１）（第１アドレス情報用デコード処理工程）。
【０１２４】
処理Ｓ１により、図４の（ａ）に示すアドレスユニット「ＡＵ０」〜「ＡＵ１５」を構成する各アドレス情報が得られる。すなわち、各アドレス情報として、アドレスユニット（ＡＵ）を構成する９シンボルである、ＡＵＮ０〜ＡＵＮ３、Ｆｌａｇデータ、およびＰａｒｉｔｙ０〜Ｐａｒｉｔｙ３が得られる。
【０１２５】
ＥＣＣデコード部８は、アドレス情報のエラー訂正処理として、デコード処理部７から取得した各アドレス情報に対して、ＥＣＣデコードを施す（処理Ｓ２）（ＥＣＣデコード第１工程）。処理Ｓ２により、ＥＣＣデコード部８において、アドレス情報のエラー訂正が行われ、アドレス情報が取得される。
【０１２６】
制御部９は、ＥＣＣデコード部８から取得したアドレス情報に基づき、ピックアップ用モータ４の動作を制御し、光ピックアップ３を媒体情報領域１０１の所定の位置に移動させる。そして、光ピックアップ３は、媒体情報領域１０１の所定のアドレスから、光ディスク１００の媒体識別情報を取得する（処理Ｓ３）（媒体情報取得工程）。
【０１２７】
制御部９は、光ピックアップ３が取得した光ディスク１００の媒体識別情報を参照し、再生装置１に装填された情報記録媒体の種類が、超解像媒体であるか否かを判定する（処理Ｓ４）（媒体種類判定条件）。例えば、再生装置１に装填された情報記録媒体が光ディスク１００である場合には、情報記録媒体の種類は、超解像媒体であると判定される。
【０１２８】
制御部９は、再生装置１に装填された情報記録媒体の種類が超解像媒体であると判定した場合には（Ｓ４においてＹＥＳ）、データ領域１０２を再生するための再生条件として、超解像媒体用の再生設定を選択する（処理Ｓ５）（再生設定選択工程）。
【０１２９】
超解像媒体用の再生設定は、光ディスク１００を再生するための再生パワー、および、光ディスク１００が回転駆動される線速度等が、通常媒体用の再生設定とは異なる。なお、通常媒体用の再生設定、および超解像媒体用の再生設定は、再生装置１において、不図示の記録装置にあらかじめ記録されていてもよい。
【０１３０】
また、本実施形態では、再生装置１の初期設定の再生設定としては、通常媒体用の再生設定が用いられている。従って、再生装置１の起動から処理Ｓ４に至るまでは、通常媒体用の再生設定が選択されている。
【０１３１】
制御部９は、ピックアップ用モータ４の動作を制御し、光ピックアップ３をデータ領域１０２の所定の位置に移動させる。そして、光ピックアップ３は、データ領域１０２に再生光を照射する。すなわち、光ピックアップ３は、データ領域１０２にアクセスする（処理Ｓ６）（データ領域アクセス工程）。
【０１３２】
光ピックアップ３は、データ領域１０２からの反射光を受光し、再生信号（ＲＦ信号）を生成する。デコード処理部７およびＥＣＣデコード部８において、データ領域１０２のアドレス情報を取得するための動作は、以下の処理Ｓ７およびＳ８によって示されている。
【０１３３】
リード回路６は、ＰＬＬによって、再生信号から再生クロックを生成し、また、ＲＬＬ（１，７）変調に対する復調処理を行い、再生信号を復調する。リード回路６は、再生クロック信号と、再生信号の復調結果とを、デコード処理部７に与える。
【０１３４】
そして、デコード処理部７は、第２デコード処理回路７１ｂ（すなわち、データ領域１０２のアドレス情報をデコードするデコード処理回路）において、データ領域１０２から読み出されたアドレス情報を復号化する（処理Ｓ７）（第２アドレス情報用デコード処理工程）。
【０１３５】
処理Ｓ７により、図４の（ｂ）に示すアドレスユニット「ＡＵ０」〜「ＡＵ１５」を構成する各アドレス情報が得られる。すなわち、各アドレス情報として、アドレスユニット（ＡＵ）を構成する９シンボルである、ＡＵＮ０〜ＡＵＮ３、Ｆｌａｇデータ、およびＰａｒｉｔｙ０〜Ｐａｒｉｔｙ３が得られる。
【０１３６】
ＥＣＣデコード部８は、アドレス情報のエラー訂正処理として、デコード処理部７から取得した各アドレス情報に対して、ＥＣＣデコードを施す（処理Ｓ８）（ＥＣＣデコード第２工程）。処理Ｓ８により、ＥＣＣデコード部８において、アドレス情報のエラー訂正が行われ、アドレス情報が取得される。
【０１３７】
制御部９は、ＥＣＣデコード部８から取得したアドレス情報に基づき、ピックアップ用モータ４の動作を制御し、光ピックアップ３をデータ領域１０２の所定の位置に移動させる。そして、光ピックアップ３は、データ領域１０２の所定のアドレスから、光ディスク１００のデータを取得する。すなわち、光ピックアップ３は、データ領域１０２の所定のアドレスに記録されているコンテンツを再生する（処理Ｓ９）（データ領域再生工程）。
【０１３８】
上述の処理Ｓ１〜Ｓ９により、再生装置による光ディスク１００（すなわち、超解像媒体）の再生が行われる。なお、データ領域１０２に対する処理Ｓ８およびＳ９は、媒体情報領域１０１に対する上述の処理Ｓ２およびＳ３と、それぞれ同様の処理である。
【０１３９】
なお、情報記録媒体が光ディスク１００とは異なる、通常媒体である場合には、以下の処理Ｓ１０〜Ｓ１３が行われる。
【０１４０】
制御部９は、再生装置１に装填された情報記録媒体の種類が超解像媒体でないと判定した場合には（Ｓ４においてＮＯ）、制御部９は、通常媒体用の再生設定（すなわち、媒体情報領域を再生するための再生条件と同一の再生条件）を、データ領域をも再生するための再生条件として継続して用いる。
【０１４１】
なお、本実施形態では、媒体情報領域が再生されない場合にも、情報記録媒体の種類が超解像媒体でないと判断される。このため、再生装置１に装填された情報記録媒体が通常媒体であり、汚れ等の付着により、当該情報記録媒体の媒体情報領域が適切に再生されない場合には、当該情報記録媒体が通常媒体であると判断される。
【０１４２】
光ピックアップ３は、上述の処理Ｓ６と同様にして、データ領域にアクセスする（処理Ｓ１０）（データ領域アクセス工程）。続いて、デコード処理部７は、第１デコード処理回路７１ａにおいて、データ領域から読み出されたアドレス情報を復号化する（処理Ｓ１１）（第１アドレス情報用デコード処理工程）。
【０１４３】
なお、処理Ｓ１１において、情報記録媒体とは通常媒体であるので、上述の処理Ｓ７とは異なり、第２デコード処理回路７１ｂを用いることなく、データ領域から読み出されたアドレス情報を復号化することができる。
【０１４４】
ＥＣＣデコード部８は、上述の処理Ｓ８と同様にして、デコード処理部７から取得した各アドレス情報に対して、アドレス情報のエラー訂正処理として、ＥＣＣデコードを施す（処理Ｓ１２）（ＥＣＣデコード第２工程）。
【０１４５】
そして、光ピックアップ３は、上述の処理Ｓ９と同様にして、データ領域の所定のアドレスに記録されているコンテンツを再生する（処理Ｓ１３）（データ領域再生工程）。上述の処理Ｓ１〜Ｓ４、および、Ｓ１０〜Ｓ１３により、再生装置１による通常媒体の再生が行われる。
【０１４６】
（再生装置１の効果）
再生装置１は、媒体情報領域１０１に記録されたアドレス情報を復号する第１デコード処理回路７１ａを備えている。それゆえ、光ディスク１００（すなわち、超解像媒体）の媒体情報領域１０１（通常媒体と同様の非超解像領域）から光ディスク１００に関する情報（特に、媒体識別情報）を再生することができる。
【０１４７】
従って、再生装置１は、通常媒体用の再生パワーを有する再生光を照射することにより、再生対象である情報記録媒体が、通常媒体であるか、または超解像媒体であるかを判別することができる。すなわち、再生装置１は、情報記録媒体の媒体情報領域が再生されたことを、再生対象である光ディスク１００が超解像媒体であることの判定基準とすることができる。
【０１４８】
また、再生装置１は、第１デコード処理回路７１ａを備えているため、再生対象である情報記録媒体が通常媒体であると判定された場合であっても、当該通常媒体のデータ領域に記録されているアドレス情報およびコンテンツを再生することができる。
【０１４９】
一方、再生装置１は、データ領域１０２に記録されたアドレス情報を復号する第２デコード処理回路７１ｂを備えている。そのため、再生対象である情報記録媒体（例えば、光ディスク１００）が超解像媒体であると判定した場合であれば、超解像用の再生パワーを有する再生光を照射することにより、媒体情報領域１０１よりも高密度に情報が記録されているデータ領域１０２から、アドレス情報およびコンテンツを確実に読み出すことができる。
【０１５０】
それゆえ、再生装置１は、超解像媒体である光ディスク１００、および通常媒体の両方を再生することができる。すなわち、再生装置１は、通常媒体との再生互換を図った上で、光ディスク１００の再生を行うことができる。また、再生装置１は、大容量化に適した超解像媒体である光ディスク１００を再生するために好適であるともいえる。
【０１５１】
ここで、通常媒体と超解像媒体（光ディスク１００とは異なる従来の超解像媒体、すなわち、媒体情報領域およびデータ領域の両方が超解像領域である超解像媒体）との両方を再生可能な従来の再生装置は、一般に、情報記録媒体の媒体情報領域に記録されているアドレス情報を読み出すことができなかった場合に、装填された情報記録媒体を超解像媒体であると判定していた。そのため、例えば、再生光が照射される通常媒体の表面に汚れが付着している場合には、通常媒体が超解像媒体と判定される可能性があった。
【０１５２】
一方、再生装置１は、第１デコード処理回路７１ａがアドレス情報の復号処理を行うことができた場合にのみ、通常媒体用の再生パワーを有する再生光を、情報記録媒体の媒体情報領域に照射する。また、第２デコード処理回路７１ｂがアドレス情報の復号処理を行うことができた場合にのみ、超解像媒体用の再生パワーを有する再生光を、情報記録媒体の媒体情報領域に照射する。
【０１５３】
すなわち、第１デコード処理回路７１ａがアドレス情報の復号処理を行うことができなかった場合には、超解像媒体用の再生パワーを有する再生光が、情報記録媒体に照射されることはない。
【０１５４】
そして、再生装置１が再生対象の超解像媒体として用いる光ディスク１００は、媒体情報領域１０１のアドレス情報が、上述した第１のアドレスデータフォーマットによって記録されている。すなわち、通常媒体用の再生パワーを有する再生光によって、媒体情報領域１０１に記録された媒体識別情報が読み出される。
【０１５５】
それゆえ、再生装置１は、再生対象の超解像媒体として光ディスク１００を用いることにより、超解像媒体用の再生パワーを有する再生光を照射することなく、通常媒体であるか、超解像媒体であるかを判定することができる。
【０１５６】
換言すれば、再生装置１によれば、媒体情報領域のアドレス情報が読み出せないことを理由として、超解像媒体であると判定されることはない。例えば、通常媒体の、再生光が照射される表面に、汚れ等が付着している場合には、媒体情報領域のアドレス情報を読み出すことができないが、そのことを理由として超解像媒体であると判定されることはない。
【０１５７】
それゆえ、再生装置１によれば、汚れ等の理由によって、光ディスクの媒体情報領域が再生できない場合等に、光ディスクが超解像媒体であると誤って認識されることを防止することができる。
【０１５８】
従って、本質的には問題のない通常媒体に対して、超解像媒体を再生するためのより高い再生パワーが照射され、通常媒体が破壊されるという事態が生じることを抑制することができるという効果を奏する。
【０１５９】
〔実施形態３〕
本発明のさらに他の実施形態について、図１０および図１１に基づいて説明すれば、以下の通りである。なお、説明の便宜上、前記実施形態にて説明した部材と同じ機能を有する部材については、同じ符号を付記し、その説明を省略する。
【０１６０】
（光ディスク３００の構成）
図１０を参照し、本実施形態の光ディスク３００（情報記録媒体）の構成について説明する。図１０は、光ディスク３００の構成を例示する平面図である。なお、本実施形態でも、実施形態１の光ディスク１００と同様に、光ディスク３００が再生専用のＢＤである場合について説明を行う。
【０１６１】
光ディスク３００は、円盤状の超解像媒体であって、（ｉ）媒体情報領域３０１（第１領域）と、（ｉｉ）データ領域３０２（第２領域）と、（ｉｉｉ）ブランク領域３０３（第３領域）と、を備えている。
【０１６２】
本実施形態の媒体情報領域３０１は、実施形態１の媒体情報領域１０１と同様の領域である。また、本実施形態のデータ領域３０２は、実施形態１のデータ領域１０２と同様の領域である。従って、本実施形態の光ディスク３００は、実施形態１の光ディスク１００に、ブランク領域３０３をさらに設けた構成である。
【０１６３】
ブランク領域３０３は、光ディスク３００において、媒体情報領域３０１よりも外周側に、かつ、データ領域３０２よりも内周側に設けられている。すなわち、ブランク領域３０３は、光ディスク３００の半径方向において、媒体情報領域３０１とデータ領域３０２との間に設けられている。
【０１６４】
ブランク領域３０３は、アドレス以外の有意な情報が記録されないピット群によって形成されている。すなわち、ブランク領域３０３は、有意な情報が記録されない領域である。また、ブランク領域３０３には、第１のアドレスデータフォーマットから第２のアドレスデータフォーマットに、アドレスデータフォーマットが遷移する（切り替わる）箇所が含まれている。
【０１６５】
以下、図１１を参照して、ブランク領域３０３について、さらに詳細に説明を行う。図１１は、光ディスク３００における、媒体情報領域３０１とブランク領域３０３とデータ領域３０２との境界部を拡大した図である。
【０１６６】
図１１に示されるように、第１のアドレスデータフォーマットによってアドレス情報が記録された媒体情報領域３０１と、第２のアドレスデータフォーマットによってアドレス情報が記録されたデータ領域３０２との間に、ブランク領域３０３が設けられている。すなわち、ブランク領域３０３は、媒体情報領域３０１とデータ領域３０２とを接続する領域として設けられている。
【０１６７】
ブランク領域３０３において、媒体情報領域３０１により近い側の領域（すなわち、ブランク領域３０３の内周側の領域）には、媒体情報領域３０１と同様にして、再生装置が有する光学系解像限界の長さより長い長さの凹および／または凸が、所定の変調方式（例えば、１−７ＰＰ変調記録方式）を用いて、第１のアドレスデータフォーマットに対応したピット群によって形成されている。
【０１６８】
また、ブランク領域３０３において、データ領域３０２により近い側の領域（すなわち、ブランク領域３０３の外周側の領域）には、データ領域３０２と同様にして、再生装置が有する光学系解像限界の長さより短い長さを含む凹および／または凸が、所定の変調方式（例えば、１−７ＰＰ変調記録方式）を用いて、第２のアドレスデータフォーマットに対応したピット群によって形成されている。
【０１６９】
なお、ブランク領域３０３において、媒体情報領域３０１により近い側の領域（第１のアドレスデータフォーマットに対応したピット群が形成されている領域）と、データ領域３０２により近い側の領域（第２のアドレスデータフォーマットに対応したピット群が形成されている領域）とが遷移する位置は、特に限定されない。
【０１７０】
（光ディスク３００の効果）
再生装置によって情報記録媒体を再生する場合、コンテンツが記録されているデータ領域（例えば、データ領域３０２）の再生を、できるだけ早急に開始したいという要求が存在する。
【０１７１】
再生装置が光ディスク３００に記録されたコンテンツを再生する場合、媒体情報領域３０１において媒体識別情報を再生した後に、媒体情報領域３０１に対するトラッキングをＯＦＦ状態にして、光ピックアップを半径方向に移動させる。そして、再生装置は、データ領域３０２に対するトラッキングをＯＮ状態にして、データ領域３０２の再生を開始する。
【０１７２】
データ領域の再生を早急に開始する場合には、光ピックアップが、データ領域３０２の最内周部よりも内周側の位置に、トラッキングを行う可能性がある。つまり、光ピックアップが誤った位置をトラッキングする可能性がある。
【０１７３】
本実施形態の光ディスク３００では、ブランク領域３０３を設けたことにより、データ領域３０２の開始域（すなわち、データ領域３０２の最内周部）よりも内周側においても、データ領域３０２と同様にして、再生装置が有する光学系解像限界の長さより短い長さを含む凹および／または凸が、所定の変調方式を用いて、第２のアドレスデータフォーマットに対応したピット群によって形成されている。
【０１７４】
従って、光ピックアップが、誤った位置をトラッキングした場合においても、ブランク領域３０３の外周側の領域が再生されるため、再生装置は、データ領域３０２を再生するための再生設定を用いて、再生位置を確認することができる。
【０１７５】
それゆえ、再生装置は、ブランク領域３０３の外周側の領域を再生した結果として確認された再生位置を参照して、光ピックアップをデータ領域３０２の所定の位置まで移動させることができる。
【０１７６】
すなわち、本実施形態の光ディスク３００によれば、再生装置によって早急にコンテンツの再生を開始する場合について、コンテンツの再生の信頼性を向上させることができるという効果を奏する。
【０１７７】
〔実施形態４〕
本発明のさらに他の実施形態について、図１２および図１３に基づいて説明すれば、以下の通りである。なお、説明の便宜上、前記実施形態にて説明した部材と同じ機能を有する部材については、同じ符号を付記し、その説明を省略する。
【０１７８】
（光ディスク４００の構成）
図１２を参照し、本実施形態の光ディスク４００（情報記録媒体）の構成について説明する。図１２は、光ディスク４００の構成を例示する平面図である。なお、本実施形態でも、実施形態１の光ディスク１００と同様に、光ディスク４００が再生専用のＢＤである場合について説明を行う。
【０１７９】
本実施形態の光ディスク４００は、円盤状の超解像媒体であって、媒体情報領域４０１（第１領域）とデータ領域４０２（第２領域）とを備えている。光ディスク４００は、データ領域４０２のトラックピッチが、媒体情報領域４０１のトラックピッチよりも短い点において、実施形態１の光ディスク１００、実施形態３の光ディスク３００とは異なる。なお、光ディスク４００のそれ以外の構成、および、記録されている情報については、実施形態１の光ディスク１００と同じである。
【０１８０】
図１３は、光ディスク４００の媒体情報領域４０１とデータ領域４０２との境界部を拡大した図である。図１３に示すように、媒体情報領域４０１には、ピットＰ１によって、複数のトラックＴ１が形成されており、データ領域４０２には、ピットＰ２によって、複数のトラックＴ２が形成されている。
【０１８１】
媒体情報領域４０１におけるトラックピッチは、２つの隣接するトラックＴ１間の、半径方向の距離であるトラックピッチＴＰ１として表される。また、データ領域４０２におけるトラックピッチは、２つの隣接するトラックＴ２間の、半径方向の距離であるトラックピッチＴＰ２として表される。
【０１８２】
トラックピッチＴＰ１とトラックピッチＴＰ２とを比較すると、トラックピッチＴＰ１がトラックピッチＴＰ２よりも長くなるように、トラックＴ１およびＴ２が形成されている。すなわち、データ領域４０２におけるトラックピッチＴＰ２は、媒体情報領域４０１におけるトラックピッチＴＰ１よりも短い。
【０１８３】
本実施形態では、例えば、トラックピッチＴＰ１（すなわち、光ディスク１００と同じトラックピッチ）が０．３５μｍ、トラックピッチＴＰ２が０．２９μｍとなるように、トラックＴ１およびＴ２が形成されている。
【０１８４】
当然ながら、トラックピッチＴＰ１＞トラックピッチＴＰ２であれば、これらの値は任意に変更可能である。また、トラックピッチＴＰ１が光ディスク１００のトラックピッチと必ずしも同じである必要はない。
【０１８５】
なお、光ディスク４００の機能層（不図示、図３の機能層１９２に相当）は、光ディスク４００の基板（不図示、図３の基板１９３に相当）の表面に設けられたプリピット群によって記録された情報を、再生光学系によって再生可能とし、かつ、トラックピッチＴＰ１よりも短いトラックピッチＴＰ２（例えば、０．２９μｍ）を実現できる膜であればよい。
【０１８６】
具体的には、光ディスク４００の機能層は、光ディスク１００の機能層１９２と同様、例えば、（ｉ）厚さ約８ｎｍのＴａ、Ａｌ、Ａｇ、Ａｕ、Ｐｔ、または、これらを含む混合物等からなる吸光膜と、（ｉｉ）ＺｎＯ、ＣｅＯ２、ＴｉＯ２等の超解像再生膜と、によって形成されてもよい。
【０１８７】
（光ディスク４００の効果）
光ディスク４００では、データ領域４０２におけるトラックピッチＴＰ２が、媒体情報領域４０１におけるトラックピッチＴＰ１よりも狭くなるように、媒体情報領域４０１にトラックＴ１が形成されているとともに、データ領域４０２にトラックＴ２が形成されている。
【０１８８】
それゆえ、例えば光ディスク１００の場合に比べ、データ領域４０２におけるトラック数を増加させることができるので、光ディスクの記録容量をより大容量化できるという効果を奏する。すなわち、記録情報のさらなる高密度化が可能となる。
【０１８９】
なお、再生装置１が光ディスク４００に記録された情報を再生する場合には、媒体情報領域４０１およびデータ領域４０２へのトラッキング制御を確実に行うことが可能なように、再生装置１は、トラックピッチＴＰ１とトラックピッチＴＰ２とに対応する（すなわち、トラックピッチＴＰ２にも対応する）機能を有している。
【０１９０】
例えばこの機能は、光ピックアップ３が、媒体情報領域４０１から媒体識別情報を取得するときに、光ディスク４００に関する情報としてトラックピッチＴＰ２の値を取得しておき、データ領域４０２に記録された情報を読み出すときの光ピックアップ３の動作に反映させることで実現可能である。
【０１９１】
〔実施形態５〕
本発明のさらに他の実施形態について、図１４に基づいて説明すれば、以下の通りである。なお、説明の便宜上、前記実施形態にて説明した部材と同じ機能を有する部材については、同じ符号を付記し、その説明を省略する。
【０１９２】
（光ディスク５００の構成）
図１４を参照し、本実施形態の光ディスク５００（情報記録媒体）の構成について説明する。図１４は、光ディスク５００の構成を例示する平面図である。なお、本実施形態でも、実施形態１の光ディスク１００と同様に、光ディスク５００が再生専用のＢＤである場合について説明を行う。
【０１９３】
光ディスク５００は、円盤状の超解像媒体であって、（ｉ）媒体情報領域５０１（第１領域）と、（ｉｉ）データ領域５０２（第２領域）と、（ｉｉｉ）ブランク領域５０３（第３領域）と、を備えている。
【０１９４】
本実施形態の媒体情報領域５０１およびデータ領域５０２は、それぞれ、実施形態４の媒体情報領域４０１およびのデータ領域４０２と同様の領域である。すなわち、データ領域５０２のトラックピッチＴＰ２（例えば、０．２９μｍ）は、媒体情報領域５０１のトラックピッチＴＰ１（例えば、０．３２μｍ）よりも短い。従って、本実施形態の光ディスク５００は、実施形態４の光ディスク４００に、ブランク領域５０３をさらに設けた構成である。
【０１９５】
本実施形態のブランク領域５０３は、実施形態３のブランク領域３０３と同様に、光ディスク５００の半径方向において、媒体情報領域５０１とデータ領域５０２との間に設けられた領域である。ブランク領域５０３は、アドレス以外の有意な情報が記録されない領域である。
【０１９６】
ブランク領域５０３には、第１のアドレスデータフォーマットから第２のアドレスデータフォーマットに、アドレスデータフォーマットが遷移する箇所が含まれている。さらに、ブランク領域５０３のトラックピッチＴＰ３は、内周側の媒体情報領域５０１から、外周側のデータ領域５０２へ向かうにつれて、短くなるように設けられている。
【０１９７】
すなわち、（ｉ）ブランク領域５０３の最内周部（すなわち、媒体情報領域５０１との境界）では、ＴＰ３＝ＴＰ１＝０．３２μｍであり、かつ、（ｉｉ）ブランク領域５０３の最外周部（すなわち、データ領域５０２との境界）では、ＴＰ３＝ＴＰ２＝０．２９μｍとなるように、ブランク領域５０３のトラックピッチＴＰ３は設けられている。
【０１９８】
従って、ブランク領域５０３は、媒体情報領域５０１のトラックピッチＴＰ１から、データ領域５０２のトラックピッチＴＰ２に、トラックピッチＴＰ３が遷移するように設けられた領域である。なお、ブランク領域５０３のトラックピッチＴＰ３の遷移の態様は、特に限定されない。
【０１９９】
なお、光ディスク５００の内周側から外周側へとトラックピッチＴＰ３が短くなる構成である必要は必ずしもない。例えば、光ディスク５００において、最内周側にデータ領域５０２が設けられ、最外周側に媒体情報領域５０１が設けられている場合には、光ディスク５００の外周側から内周側へとトラックピッチＴＰ３が短くなる構成とすればよい。
【０２００】
（光ディスク５００の効果）
本実施形態の光ディスク５００では、ブランク領域５０３を設けたことにより、データ領域５０２の開始域（すなわち、データ領域５０２の最内周部）よりも内周側においても、データ領域５０２と同様にして、再生装置が有する光学系解像限界の長さより短い長さを含む凹および／または凸が、所定の変調方式（例えば、１−７ＰＰ変調記録方式）を用いて、第２のアドレスデータフォーマットに対応したピット群によって形成されている。
【０２０１】
従って、実施形態３と同様に、光ピックアップが、誤った位置をトラッキングした場合においても、ブランク領域５０３の外周側の領域が再生されるため、再生装置は、データ領域５０２を再生するための再生設定を用いて、再生位置を確認することができる。
【０２０２】
それゆえ、再生装置は、ブランク領域５０３の外周側の領域を再生した結果として確認された再生位置を参照して、光ピックアップをデータ領域５０２の所定の位置まで移動させることができる。
【０２０３】
すなわち、本実施形態の光ディスク５００によれば、実施形態３の光ディスク３００と同様に、再生装置によって早急にコンテンツの再生を開始する場合について、コンテンツの再生の信頼性を向上させることができるという効果を奏する。
【０２０４】
また、本実施形態の光ディスク５００では、実施形態４の光ディスク４００と同様に、データ領域５０２におけるトラックピッチＴＰ２は、媒体情報領域５０１におけるトラックピッチＴＰ１よりも短い。
【０２０５】
それゆえ、本実施形態の光ディスク５００によれば、実施形態４の光ディスク４００と同様に、データ領域５０２におけるトラック数を増加させることができるので、光ディスクの記録容量をより大容量化できるという効果を奏する。すなわち、記録情報のさらなる高密度化が可能となる。
【０２０６】
〔変形例〕
上述の実施形態１〜５では、情報記録媒体としての光ディスク１００、３００、４００、および５００が、ＢＤである場合を例示して説明を行っている。しかし、情報記録媒体は、ＢＤに限定されず、その他の光学読取式のディスク、光磁気ディスク、または相変化型ディスク等の、種々の光ディスクであってもよい。また、情報記録媒体は、磁気ディスクであってもよい。
【０２０７】
なお、上述の実施形態２では、再生装置１が、光ディスク１００を再生する場合を特に例示しているが、再生装置１は、光ディスク１００と同様に、光ディスク３００、４００、および５００を再生してもよい。
【０２０８】
また、上述の実施形態１〜５では、情報記録媒体として光ディスク１００、３００、４００、および５００に対する再生が行われる場合のみを例示して説明を行っているが、当該光ディスクは、再生専用の情報記録媒体に限定されない。光ディスク１００、３００、４００、および５００は、追記録可能（Recordable）な情報記録媒体であってもよいし、または、書き換え可能（RE-writable）な情報記録媒体であってもよい。
【０２０９】
〔ソフトウェアによる実現例〕
再生装置１の制御ブロック（特に制御部９）は、集積回路（ＩＣチップ）等に形成された論理回路（ハードウェア）によって実現してもよいし、ＣＰＵ（Central Processing Unit）を用いてソフトウェアによって実現してもよい。
【０２１０】
後者の場合、再生装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０２１１】
〔まとめ〕
本発明の態様１に係る情報記録媒体（光ディスク１００）は、再生装置が有する光学系解像限界の長さより長い長さの凹および／または凸が、所定の変調方式に従い形成されることにより、情報記録媒体の種類を識別するための種類識別情報（媒体識別情報）が記録されている第１領域（媒体情報領域１０１）と、上記光学系解像限界の長さより短い長さを含む凹および／または凸が、所定の変調方式に従い形成されることにより、コンテンツデータが記録されている第２領域（データ領域１０２）と、を備えた情報記録媒体であって、上記第１領域のアドレス情報は、第１のアドレスデータフォーマットによって記録され、上記第２領域のアドレス情報は、上記第１のアドレスデータフォーマットとは異なる、第２のアドレスデータフォーマットによって記録されている。
【０２１２】
上記の構成によれば、本発明の一態様に係る情報記録媒体の第２領域には、光学系解像限界よりも短い長さを含む凹および／または凸が形成されることにより、コンテンツデータが記録されている。従って、当該情報記録媒体は、超解像媒体である。
【０２１３】
そして、本発明の一態様に係る情報記録媒体において、種類識別情報が記録されている第１領域のアドレス情報は、第１のアドレスデータフォーマットによって記録されている。また、コンテンツデータが記録されている第２領域のアドレス情報は、第１のアドレスデータフォーマットとは異なる、第２のアドレスデータフォーマットによって記録されている。
【０２１４】
ここで、第１のアドレスデータフォーマットは、例えば、図４の（ａ）に示されるような、通常媒体と同一のデータ構造である。また、第２のアドレスデータフォーマットは、例えば、図４の（ｂ）に示されるような、通常媒体よりも高密度化されたデータ記録を可能とする、超解像媒体向けのデータ構造（例えば、通常媒体よりもクラスタアドレスのビット数（アドレス数）を増加させたデータ構造）である。
【０２１５】
他方、本発明の一態様に係る情報記録媒体とは異なる、従来の超解像媒体においては、コンテンツデータが記録されている第２領域に加え、種類識別情報が記録されている第１領域にも、通常媒体よりも高密度化されたデータ記録を可能とする、超解像媒体向けのデータ構造が適用されている。例えば、従来の超解像媒体においては、図１５の（ｂ）に示されるような、超解像媒体向けのデータ構造が、第１領域に適用されている。
【０２１６】
このため、従来の超解像媒体を再生可能な下位互換性を有する再生装置では、第１領域が再生されないことを、再生対象である情報記録媒体が超解像媒体であることの判定基準としていた。それゆえ、情報記録媒体に汚れが付着した等の理由により、第１領域が再生されない場合には、当該情報記録媒体が通常媒体であるにもかかわらず、超解像媒体であると誤って判定される恐れがあった。
【０２１７】
しかしながら、本発明の一態様に係る情報記録媒体によれば、再生装置において、第１領域が再生されることを、再生対象である情報記録媒体が超解像媒体であることの判定基準とすることができる。それゆえ、情報記録媒体に汚れが付着した等の理由により、第１領域が再生されない場合には、当該情報記録媒体は、通常媒体であると判定される。
【０２１８】
すなわち、本発明の一態様に係る情報記録媒体によれば、再生装置の下位互換性が損なわれる可能性を低減することができる。それゆえ、再生装置は、通常媒体を超解像媒体と誤って判定することを防止することができる。
【０２１９】
従って、通常媒体に対して、超解像媒体を再生するためのより高い再生パワーが照射され、通常媒体が破壊されるという事態が生じることが抑制され、再生装置による情報記録媒体の再生の信頼性が向上するという効果を奏する。
【０２２０】
また、本発明の態様２に係る再生装置（１）は、上記態様１に係る情報記録媒体を再生する再生装置であって、上記第１領域に記録されたアドレス情報を復号する第１アドレス情報用デコード処理手段（第１デコード処理回路７１ａ）と、上記第２領域に記録されたアドレス情報を復号する第２アドレス情報用デコード処理手段（第２デコード処理回路７１ｂ）と、を備えていてもよい。
【０２２１】
上記の構成によれば、再生装置に第１アドレス情報用デコード処理手段を設けることにより、第１のアドレスデータフォーマットによって記録されている第１領域（すなわち、種類識別情報が記録されている領域）のアドレス情報を復号することができる。また、再生装置に第２アドレス情報用デコード処理手段を設けることにより、第２のアドレスデータフォーマットによって記録されている第２領域（すなわち、コンテンツデータが記録されている領域）のアドレス情報を復号することができる。
【０２２２】
従って、本発明の一態様に係る情報記録媒体を再生するために好適な再生装置を、通常媒体との再生互換を図りつつ、提供することができるという効果を奏する。
【０２２３】
また、本発明の態様３に係る情報記録媒体（光ディスク３００）は、上記態様１において、上記第１領域と上記第２領域との間に、アドレス情報以外の有意な情報が記録されていない第３領域（ブランク領域３０３）をさらに備えており、上記第３領域の上記第１領域により近い側の領域には、上記光学系解像限界の長さより長い長さの凹および／または凸が、所定の変調方式に従い形成されており、かつ、上記第３領域の上記第２領域により近い側の領域には、上記光学系解像限界の長さより短い長さを含む凹および／または凸が、所定の変調方式に従い形成されていてもよい。
【０２２４】
上記の構成によれば、第３領域が存在していることにより、第２領域の開始域よりも、第１領域にさらに近い位置においても、第２領域と同様にして、再生装置が有する光学系解像限界の長さより短い長さを含む凹および／または凸が、所定の変調方式に従い形成されている。
【０２２５】
従って、第１領域の再生を終了した後に、第２領域の再生を開始するために、第１領域から第２領域に移動した光ピックアップが、誤った位置をトラッキングした場合においても、第３領域の第２領域により近い領域が再生される。
【０２２６】
このため、再生装置は、第２領域を再生するための再生設定を用いて、第３領域を再生した結果として確認された再生位置を参照して、光ピックアップを第２領域の所定の位置まで移動させることができる。それゆえ、コンテンツの再生の信頼性を向上させることができるという効果を奏する。
【０２２７】
また、本発明の態様４に係る情報記録媒体（光ディスク４００）は、上記態様１または３において、上記第２領域のトラックピッチ（ＴＰ２）が、上記第１領域のトラックピッチ（ＴＰ１）よりも短くてもよい。
【０２２８】
上記の構成によれば、第２領域のトラックピッチが、第１領域のトラックピッチと等しい場合に比べて、第２領域におけるトラック数をさらに増加させることができる。それゆえ、情報記録媒体をさらに高密度化できるという効果を奏する。
【０２２９】
また、本発明の態様５に係る情報記録媒体（光ディスク５００）は、上記態様３において、上記第２領域のトラックピッチが、上記第１領域のトラックピッチよりも短く、上記第３領域のトラックピッチ（ＴＰ３）は、上記第１領域との境界において、上記第１領域のトラックピッチと等しく、かつ、上記第２領域との境界において、上記第２領域のトラックピッチと等しくなるように、上記第１領域から上記第２領域に向かうにつれて短くなるように設けられていてもよい。
【０２３０】
上記の構成によれば、第３領域がさらに設けられた情報記録媒体においても、第２領域におけるトラック数をさらに増加させることができる。それゆえ、情報記録媒体をさらに高密度化できるという効果を奏する。
【０２３１】
また、本発明の態様６に係る再生方法は、上記態様２に係る再生装置の制御方法であって、上記第１領域に記録されたアドレス情報を復号する第１アドレス情報用デコード処理工程と、上記第２領域に記録されたアドレス情報を復号する第２アドレス情報用デコード処理工程と、を含んでいてもよい。
【０２３２】
上記の構成によれば、上記態様２と同様に、本発明の一態様に係る情報記録媒体を好適に再生できるという効果を奏する。
【０２３３】
また、上記態様２に係る再生装置は、コンピュータによって実現してもよく、この場合には、コンピュータを上記再生装置が備える各手段として動作させることにより上記再生装置をコンピュータにて実現させる再生装置の制御プログラム、およびそれを記録したコンピュータ読み取り可能な記録媒体も、本発明の範疇に入る。
【０２３４】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【０２３５】
なお、本発明は、以下のようにも表現できる。
【０２３６】
すなわち、本発明の一態様に係る情報記録媒体は、再生装置が有する光学系解像限界の長さより長い長さの凹および／または凸が、所定の変調方式に従い形成されることにより、情報記録媒体の種類を識別するための種類識別情報が記録される第１領域と、上記光学系解像限界の長さより短い長さを含む凹および／または凸が、所定の変調方式に従い形成されることにより、コンテンツデータが記録される第２領域と、を備えた情報記録媒体であって、上記第１領域のアドレス情報は、第１のアドレスデータフォーマットによって記録され、上記第２領域のアドレス情報は、上記第１のアドレスデータフォーマットとは異なる、第２のアドレスデータフォーマットによって記録されている。
【０２３７】
また、本発明の一態様に係る再生装置は、本発明の一態様に係る情報記録媒体を再生する再生装置であって、前記第１領域に記録されたアドレス情報を、第１アドレス情報用デコード処理手段によって復号するとともに、前記第２領域に記録されたアドレス情報を、第２アドレス情報用デコード処理手段によって復号する。
【０２３８】
〔本発明の別の表現〕
（態様１）
態様１に係る情報記録媒体は、再生装置が有する光学系解像限界の長さより長い長さの凹および／または凸が、所定の変調方式に従い形成されることにより、情報記録媒体の種類を識別するための種類識別情報が記録されている第１領域と、上記光学系解像限界の長さより短い長さを含む凹および／または凸が、所定の変調方式に従い形成されることにより、コンテンツデータが記録されている第２領域と、を備えた情報記録媒体であって、上記第１領域のアドレス情報は、第１のアドレスデータフォーマットによって記録され、上記第２領域のアドレス情報は、上記第１のアドレスデータフォーマットとは異なる、第２のアドレスデータフォーマットによって記録されており、上記第２のアドレスデータフォーマットは、上記第１のアドレスデータフォーマットに比べて、クラスタアドレスのビット数が多いアドレスデータフォーマットである。
【０２３９】
（態様２）
態様２に係る再生装置は、態様１に係る情報記録媒体を再生する再生装置であって、上記第１領域に記録されたアドレス情報を復号する第１アドレス情報用デコード処理手段と、上記第２領域に記録されたアドレス情報を復号する第２アドレス情報用デコード処理手段と、を備えている。
【産業上の利用可能性】
【０２４０】
本発明は、情報を記録することが可能な情報記録媒体、および当該情報記録媒体を再生可能な再生装置に利用することができる。
【符号の説明】
【０２４１】
１  再生装置
７１ａ  第１デコード処理回路（第１アドレス情報用デコード処理手段）
７１ｂ  第２デコード処理回路（第２アドレス情報用デコード処理手段）
１００，３００，４００，５００  光ディスク（情報記録媒体）
１０１，３０１，４０１，５０１  媒体情報領域（第１領域）
１０２，３０２，４０２，５０２  データ領域（第２領域）
【図１】
2018032463.tif 000003
【図２】
2018032463.tif 000004
【図３】
2018032463.tif 000005
【図４】
2018032463.tif 000006
【図５】
2018032463.tif 000007
【図６】
2018032463.tif 000008
【図７】
2018032463.tif 000009
【図８】
2018032463.tif 000010
【図９】
2018032463.tif 000011
【図１０】
2018032463.tif 000012
【図１１】
2018032463.tif 000013
【図１２】
2018032463.tif 000014
【図１３】
2018032463.tif 000015
【図１４】
2018032463.tif 000016
【図１５】
2018032463.tif 000017
【図１６】
2018032463.tif 000018